(57)【要約】【課題】指紋識別機能を備えて安全性を向上したＩＣカードを提供する。【解決手段】カード本体１０、回路基板２０、ＩＣチップモジュール３０、指紋識別モジュール４０及びマイクロプロセッサー５０を備え、カード本体１０は、基層１１上に回路基板２０を結合し、最表面を保護層１２により被覆する。保護層１２のＩＣチップ孔１３及び指紋識別孔１４からそれぞれＩＣチップモジュール３０及び指紋識別モジュール４０のキャプチャユニット４１を露出し、使用者は指紋情報をキャプチャユニット４１から入力して識別ＩＣチップ４２は指紋情報を対応する指紋信号に転換し、マイクロプロセッサー５０は識別ＩＣチップ４２の指紋信号を受け取り、保存し、判断し、指紋識別モジュール４０がインプットした指紋情報が使用者本人のものであると確認されれば、ＩＣチップモジュール３０中のＩＣチップデータはカードリーダーに読み取られる。【選択図】図１
0003208442.tif 000002
【実用新案登録請求の範囲】
【請求項１】
指紋識別機能を備えたＩＣカードであって、
カード本体、回路基板、ＩＣチップモジュール、指紋識別モジュール及びマイクロプロセッサーを備え、
上記カード本体は、基層、及びカード最表面に結合する保護層を備え、該基層は、長方形を呈する板体で、該保護層の形状は、該基層と同じであって、ＩＣチップ孔及び指紋識別孔を備え、
上記回路基板は、該基層と該保護層との間に挟まれて固定され、かつ該回路基板上には、回路をレイアウトし、
上記ＩＣチップモジュールは、使用者に関連するＩＣチップデータを内部に保村し、
該回路基板上に結合されて、該基層と該保護層との間に設置されると共に前記ＩＣチップ孔に対応して露出してカードリーダーにより該ＩＣチップデータを読み取り可能とし、
上記指紋識別モジュールは、キャプチャユニット及び識別ＩＣチップを備え、該回路基板上に結合されて該基層と該保護層との間に設置され、該キャプチャユニットは、前記指紋識別孔に対応して露出して使用者の指に接触して指紋情報を入力可能とし、該識別ＩＣチップは、入力された指紋情報を対応する指紋信号に転換し、
上記マイクロプロセッサーは、該回路基板上に結合されて該基層と該保護層との間に設置され、前記回路を経て、前記ＩＣチップモジュール及び指紋識別モジュールと電気的に連接して、前記識別ＩＣチップの指紋信号を受け取り、保存し、判断し、該指紋識別モジュールがインプットした指紋情報が使用者本人のものであると確認されれば、該ＩＣチップモジュール中のＩＣチップデータを、該カードリーダーが読み取ることを許可することを特徴とする指紋識別機能を備えたＩＣカード。
【請求項２】
前記ＩＣチップモジュールは、該カード本体上の短側辺に近い位置に設置され、
該指紋識別モジュールは、該カード本体上の他の短側辺に近い位置に設置されることを特徴とする請求項１に記載の指紋識別機能を備えたＩＣカード。
【請求項３】
前記指紋識別モジュールの位置は、該カード本体の長側辺に近いことを特徴とする請求項２に記載の指紋識別機能を備えたＩＣカード。
【請求項４】
前記指紋識別モジュールの数は、２個であることを特徴とする請求項１に記載の指紋識別機能を備えたＩＣカード。
【請求項５】
前記指紋識別機能を備えたＩＣカードは、ボタンをさらに備え、
該ボタンは、該回路基板上に結合されて前記基層と保護層との間に設置され、
該保護層上の、該ボタンに対応する位置には、ボタンエリアを設置して、使用者は、該ボタンエリアを通して、該ボタンを押す操作を可能とし、
該ボタンは、該回路を通して、該マイクロプロセッサーと電気的に連接して、その押圧操作により、該指紋識別モジュールが読み取った指紋情報の保存、及び先に保存されていた指紋情報の削除するようにしたことを特徴とする請求項１に記載の指紋識別機能を備えたＩＣカード。
【請求項６】
前記ボタンエリアは、クッション形式であることを特徴とする請求項１に記載の指紋識別機能を備えたＩＣカード。
【考案の詳細な説明】
【技術分野】
【０００１】
本考案は、指紋識別機能を備えたＩＣカードに関し、特にＩＣカードの使用上の安全性を高められる指紋識別機能を備えたＩＣカードに関する。
【背景技術】
【０００２】
外出時に現金を持たずとも、公共交通機関に乗車でき、商店で買い物等の取引ができるよう、電子マネーによる決済は徐々に社会に広がっている。
現在使用されている電子マネーには、クレジットカード、ポイントカード、電子カード乗車券等があるが、これらはどれも各種支払いサービスを提供することができる。
中でも、ＩＣチップを備えるＩＣカードは、従来の磁気ストライプカードに比べ安全性が高いだけでなく、ＩＣチップによりキャッシュバック積立、キャンペーンポイント積立、電子レシート保存等の機能を備え、高い使用上の利便性を誇る。
【０００３】
しかし、現在のＩＣカードは、使用において便利ではあるが、セキュリティメカニズムが一つしかないため、不正使用、或いは遺失後になりすまし使用等の問題がしばしば起きる。
上記した問題に対抗するため、現段階で各銀行は、額が大きい電子取引に対しては、オンラインでランダムパスワードを使用者の携帯電話に送信し、ランダムパスワードを入力することで、取引のカギとし、こうして二つ目のセキュリティメカニズムを形成して、使用者本人以外の取引を防止しようとしている。
しかし、この種の二つ目のセキュリティメカニズムは、操作が非常に面倒であるばかりか、時間もかかり、使用における大きな不便となっている。
本考案は、従来のＩＣカードの上記した欠点に鑑みてなされたものである。
【先行技術文献】
【特許文献】
【０００４】
【特許文献１】特開平９−２８６１９０号公報
【考案の概要】
【考案が解決しようとする課題】
【０００５】
本考案が解決しようとする課題は、不正防止メカニズムの安全性が十分でないことで、不正使用され易く、使用において不便であるという従来のＩＣカードに存在する問題を解決できる指紋識別機能を備えたＩＣカードを提供することである。
【課題を解決するための手段】
【０００６】
上記課題を解決するため、本考案は下記の指紋識別機能を備えたＩＣカードを提供する。
指紋識別機能を備えたＩＣカードは、カード本体、回路基板、ＩＣチップモジュール、指紋識別モジュール及びマイクロプロセッサーを備え、
該カード本体は、基層、及び該基層頂面に結合する保護層を備え、該基層は、長方形を呈する板体で、該保護層の形状と該基層とは相同で、かつ、ＩＣチップ孔及び指紋識別孔を備え、
該回路基板は、該基層と該保護層との間に挟まれて固定され、かつ該回路基板上には、回路をレイアウトし、
該ＩＣチップモジュールは、該回路基板上に結合され、かつ使用者に関連するＩＣチップデータを内部に保村し、該ＩＣチップモジュールは、該基層と該保護層との間に設置され、かつ該ＩＣチップ孔に対応して露出し、これにより該カードリーダーと電気的に接触し、該カードリーダーはＩＣチップデータを読み取り、電力を該ＩＣカードに提供し、
該指紋識別モジュールは、該回路基板上に結合され、かつ該基層と該保護層との間に設置され、該指紋識別モジュールは、キャプチャユニット及び識別ＩＣチップを備え、該キャプチャユニットは、該指紋識別孔に対応して露出し、これにより使用者の指は密着し、指紋情報を入力でき、該識別ＩＣチップは、指紋情報を対応する指紋信号に転換し、
該マイクロプロセッサーは、該回路基板上に結合され、かつ該基層と該保護層との間に設置され、該マイクロプロセッサーは、該回路を通して、該ＩＣチップモジュール及び該指紋識別モジュールと電気的に連接して該識別ＩＣチップの指紋信号を受信、保存、判断し、
該指紋識別モジュールが入手した指紋情報が、使用者本人のものであることが確認されると、該ＩＣチップモジュール中のＩＣチップデータは、該カードリーダーに読み取られる。
【考案の効果】
【０００７】
本考案の指紋識別機能を備えたＩＣカードは、指紋識別モジュールにより入力された指紋情報を受け取り、処理し、マイクロプロセッサーによって指紋識別モジュールが入力した指紋情報が使用者本人のものであるかどうかを判断し、入力された指紋情報が使用者本人のものであると確認されたなら、ＩＣチップモジュール中のＩＣチップデータはカードリーダーに読み取られ、これによりＩＣカードはもう一重の不正防止機能を備え、こうしてＩＣカードが不正使用に遭遇する機会を減らし、ＩＣカードの使用上の安全性を大幅に高めることができる。
【図面の簡単な説明】
【０００８】
【図１】本考案第一実施形態の立体分解模式図である。
【図２】本考案第一実施形態の立体組合せ模式図である。
【図３】本考案の第二実施形態の模式図である。
【図４】本考案の第三実施形態の模式図である。
【考案を実施するための形態】
【０００９】
以下に図面を参照しながら本考案を実施するための最良の形態について詳細に説明する。
[実施例]
【００１０】
図１、２は、本考案による指紋識別機能を備えたＩＣカードの第一実施形態を示す。
【００１１】
図に示すように、指紋識別機能を備えたＩＣカードは、カード本体１０、回路基板２０、ＩＣチップモジュール３０、指紋識別モジュール４０及びマイクロプロセッサー５０を備える。
【００１２】
該カード本体１０は、基層１１、及びカード最上面に結合する保護層１２を備える。
【００１３】
該基層１１は、長方形を呈する板体で、該保護層１２の形状は、該基層１１と同じであって、ＩＣチップ孔１３及び指紋識別孔１４を備える。
【００１４】
該回路基板２０は、該基層１１と該保護層１２との間に挟まれて固定され、該回路基板２０上には、回路２１をレイアウトする。
【００１５】
該ＩＣチップモジュール３０は、該回路基板２０上に結合され、内部には、使用者に関連するＩＣチップデータを保存する。
【００１６】
該ＩＣチップモジュール３０は、該基層１１と該保護層１２との間に設置されて該ＩＣチップ孔１３に対応して露出し、これによりカードリーダー（図示なし）と電気的に接触して該カードリーダーはＩＣチップデータを読み取り、電気的信号を該ＩＣカードに提供する。
【００１７】
該指紋識別モジュール４０は、該回路基板２０上に結合されて該基層１１と該保護層１２との間に設置される。
【００１８】
該指紋識別モジュール４０は、キャプチャユニット４１及び識別ＩＣチップ４２を備え、該キャプチャユニット４１は、該指紋識別孔１４に対応して露出し、これにより使用者の指を密着させられ、指紋情報を読み取ることができ、該識別ＩＣチップ４２は、指紋情報を対応する指紋信号に転換する。
【００１９】
該マイクロプロセッサー５０は、該回路基板２０上に結合されて該基層１１と該保護層１２との間に設置される。
【００２０】
該マイクロプロセッサー５０は、回路２１を経て該ＩＣチップモジュール３０及び該指紋識別モジュール４０と電気的に連接し、該識別ＩＣチップ４２の指紋信号を受け取り、保存し、判断する。
【００２１】
該指紋識別モジュール４０によりインプットした指紋情報が使用者本人のものであると確認されれば、該ＩＣチップモジュール３０のＩＣチップデータは、該カードリーダーに読み取られる。
【００２２】
本考案において、該ＩＣチップモジュール３０は、該カード本体１０上の短側辺に近い位置に設置され、該指紋識別モジュール４０は、該カード本体１０上の他方の短側辺に近い位置に設置され、こうしてカードを読み取る時に指紋識別の操作を行うことができる。
【００２３】
このような該指紋識別モジュール４０の最良の設置位置は、該カード本体１０の長側辺に近い角位置で、これによりカード屈折時の損傷を回避できる。
【００２４】
本考案が提供する指紋識別機能を備えたＩＣカードは、該指紋識別モジュール４０により、入力された指紋情報を受け取り、処理し、該マイクロプロセッサーによって、該指紋識別モジュール４０が入力した指紋情報が使用者本人のものであるかどうかを判断する。
【００２５】
入力された指紋情報が使用者本人のものであると確認されたなら、該ＩＣチップモジュール３０中のＩＣチップデータは、該カードリーダーに読み取られる。
【００２６】
これにより、ＩＣカードはさらに不正防止機能を備えることとなり、こうしてＩＣカードが不正使用に遭遇する機会を減らし、ＩＣカードの使用上の安全性を大幅に高めることができる。
【００２７】
図３は、本考案による指紋識別機能を備えたＩＣカードの第二実施形態を示すが、本実施形態の構造は上述の実施形態とおおよそ同じである。
【００２８】
両者の主要な差異は、第二実施形態が２個の指紋識別モジュール４０を備える点で、該保護層１２上には、２個の指紋識別孔１４を相対的に設置し、これにより該２個の指紋識別モジュール４０のキャプチャユニット４１が露出する。
【００２９】
該２個の指紋識別モジュール４０の二重識別により、指紋識別の正確性をさらに向上させ、非使用者本人のＩＣカード使用を効果的に防止でき、こうしてＩＣカードが不正使用されるリスクを低下させることができる。
【００３０】
図４は、本考案による指紋識別機能を備えたＩＣカードの第三実施形態を示すが、本実施形態の構造は上述の実施形態とおおよそ同じである。
【００３１】
両者の差異は、第三実施形態がボタン６０をさらに備え、該ボタン６０は、該回路基板２０上に結合され、かつ該基層１１と該保護層１２との間に設置される。
【００３２】
該保護層１２上の、該ボタン６０に対応する位置には、クッション形式のボタンエリア１５を設置し、使用者は、該ボタンエリア１５を通して、該ボタン６０を押すことができる。
【００３３】
該ボタン６０は、該回路２１を通して、該マイクロプロセッサー５０と電気的に連接し、これを押すことで、該指紋識別モジュール４０が読み取った指紋情報を保存し、及び先に保存されていた指紋情報を削除する。
【００３４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
１０  カード本体
１１  基層
１２  保護層
１３  ＩＣチップ孔
１４  指紋識別孔
１５  ボタンエリア
２０  回路基板
２１  回路
３０  ＩＣチップモジュール
４０  指紋識別モジュール
４１  キャプチャユニット
４２  識別ＩＣチップ
５０  マイクロプロセッサー
６０  ボタン
【図１】
0003208442.tif 000003
【図２】
0003208442.tif 000004
【図３】
0003208442.tif 000005
【図４】
0003208442.tif 000006
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
指紋識別機能を備えたＩＣカードであって、
カード本体、回路基板、ＩＣチップモジュール、指紋識別モジュール及びマイクロプロセッサーを備え、
上記カード本体は、基層、及びカード最表面に結合する保護層を備え、該基層は、長方形を呈する板体で、該保護層の形状は、該基層と同じであって、ＩＣチップ孔及び指紋識別孔を備え、
上記回路基板は、該基層と該保護層との間に挟まれて固定され、かつ該回路基板上には、回路をレイアウトし、
上記ＩＣチップモジュールは、使用者に関連するＩＣチップデータを内部に保存し、
該回路基板上に結合されて、該基層と該保護層との間に設置されると共に前記ＩＣチップ孔に対応して露出してカードリーダーにより該ＩＣチップデータを読み取り可能とし、
上記指紋識別モジュールは、キャプチャユニット及び識別ＩＣチップを備え、該回路基板上に結合されて該基層と該保護層との間に設置され、該キャプチャユニットは、前記指紋識別孔に対応して露出して使用者の指に接触して指紋情報を入力可能とし、該識別ＩＣチップは、入力された指紋情報を対応する指紋信号に転換し、
上記マイクロプロセッサーは、該回路基板上に結合されて該基層と該保護層との間に設置され、前記回路を経て、前記ＩＣチップモジュール及び指紋識別モジュールと電気的に連接して、前記識別ＩＣチップの指紋信号を受け取り、保存し、判断し、該指紋識別モジュールがインプットした指紋情報が使用者本人のものであると確認されれば、該ＩＣチップモジュール中のＩＣチップデータを、該カードリーダーが読み取ることを許可することを特徴とする指紋識別機能を備えたＩＣカード。
【請求項２】
前記ＩＣチップモジュールは、該カード本体上の短側辺に近い位置に設置され、
該指紋識別モジュールは、該カード本体上の他の短側辺に近い位置に設置されることを特徴とする請求項１に記載の指紋識別機能を備えたＩＣカード。
【請求項３】
前記指紋識別モジュールの位置は、該カード本体の長側辺に近いことを特徴とする請求項２に記載の指紋識別機能を備えたＩＣカード。
【請求項４】
前記指紋識別モジュールの数は、２個であることを特徴とする請求項１に記載の指紋識別機能を備えたＩＣカード。
【請求項５】
前記指紋識別機能を備えたＩＣカードは、ボタンをさらに備え、
該ボタンは、該回路基板上に結合されて前記基層と保護層との間に設置され、
該保護層上の、該ボタンに対応する位置には、ボタンエリアを設置して、使用者は、該ボタンエリアを通して、該ボタンを押す操作を可能とし、
該ボタンは、該回路を通して、該マイクロプロセッサーと電気的に連接して、その押圧操作により、該指紋識別モジュールが読み取った指紋情報の保存、及び先に保存されていた指紋情報の削除するようにしたことを特徴とする請求項１に記載の指紋識別機能を備えたＩＣカード。
【請求項６】
前記ボタンエリアは、クッション形式であることを特徴とする請求項５に記載の指紋識別機能を備えたＩＣカード。